(57)【要約】【課題】標識コーンの側面に部分的に係合することでディスプレイ物を構成するディスプレイ用具を提供することを課題とする。【解決手段】円錐状の標識コーンを用いたディスプレイ物を構成するための、ディスプレイ用具として、前記標識コーンの側周面の少なくとも３点に接触することで、前記標識コーンの側周面に係合固定されるリング状又は破断リング状の側面標識コーン係合部と、前記側面標識コーン係合部に固定される側面ディスプレイ体とから構成する。【選択図】  図１
0003158152.tif 000002
【実用新案登録請求の範囲】
【請求項１】
円錐状の標識コーンを用いたディスプレイ物を構成するための、ディスプレイ用具であって、
前記標識コーンの側周面の少なくとも３点に接触することで、前記標識コーンの側周面に係合固定されるリング状又は破断リング状の側面標識コーン係合部と、
前記側面標識コーン係合部に固定される側面ディスプレイ体と
からなるディスプレイ用具。
【請求項２】
前記側面ディスプレイ体は、前記側面標識コーン係合部に対して着脱可能に固定されるものである請求項１に記載のディスプレイ用具。
【請求項３】
前記側面標識コーン係合部は、前記側面ディスプレイ体を異なる２以上の姿勢において固定可能に形成される請求項１又は２に記載のディスプレイ用具。
【請求項４】
前記標識コーンの円錐状部分の基端部を構成する円周部に係合し、前記基端部に連続する前記標識コーンの底板上に載置されるリング状又は破断リング状の底部標識コーン係合部と、前記底部標識コーン係合部に固定される底部ディスプレイ体とからなる底部ディスプレイ構成部を、さらに有する請求項１から３のいずれか1項に記載のディスプレイ用具。
【請求項５】
前記側面ディスプレイ体と前記底部ディスプレイ体は、掲示板などの板状体を支持するものであって、側面ディスプレイ体は当該板状体の両側部を保持固定するものあり、前記底部ディスプレイ体は当該板状体の下端部を保持固定するものである請求項４に記載のディスプレイ用具。
【請求項６】
前記側面ディスプレイ体は、腕と手を模した部分を有し、前記底部ディスプレイ体は足又は靴を模した部分を有する請求項４又は５に記載のディスプレイ用具。
【請求項７】
前記側面標識コーン係合部と前記底部標識コーン係合部とが板体又は棒体により連結されているものである請求項４から６のいずれか１項に記載のディスプレイ用具。
【請求項８】
前記標識コーンの頂点部分に被せることで当該頂点部分に係合するキャップ状の頭部標識コーン係合部と、前記頭部標識コーン係合部に固定される頭部ディスプレイ体からなる頭部ディスプレイ構成部を、さらに有する請求項１から７のいずれか1項に記載のディスプレイ用具。
【請求項９】
前記側面ディスプレイ体は、腕と手を模した部分を有し、頭部ディスプレイ体は顔を模した部分を有するものである請求項８に記載のディスプレイ用具。
【請求項１０】
前記側面標識コーン係合部と前記頭部標識コーン係合部とが板体又は棒体により連結されているものである請求項８又は９に記載のディスプレイ用具。
【考案の詳細な説明】
【技術分野】
【０００１】
本考案は、標識コーンを利用したディスプレイ物を形成するための器具に関する。
【背景技術】
【０００２】
主に交通標識として用いられる標識コーンは、表面に文字などを記載したり、ライトや看板、プレートなどの器具を装着したりすることで、広告や指示案内用のディスプレイ物として用いられることがある。
例えば、下記特許文献１、２には円錐状の標識コーンの頂点部分に被せる係合固定部に板状体やライトなどからなるディスプレイ体を設けた器具が示されている。
また、特許文献３には、併設した２つの標識コーンの頂点部に、両端に標識コーンの頂点部分に係合するリング体が設けられたバーを係合させるものが示されている。
さらに、下記特許文献４、５には円錐状の標識コーン表面にほぼ係合する裁頭円錐状の筒体からなる器具表面に文字を表示しこれを標識コーンに被せることでディスプレイ物を構成することが示されている。また、特許文献４のものには、さらに側面に板状物を張り出すように形成することで表示面積の増加と表示方向の明確化が図られている。
【先行技術文献】
【特許文献】
【０００３】
【特許文献１】実用新案登録第３０６３２５７号公報
【特許文献２】実開平６−１８４１７号公報
【特許文献３】実用新案登録第３０６９８５１号公報
【特許文献４】特許第４１６８０７０号公報
【特許文献５】実用新案登録３１００４４３号公報
【考案の概要】
【考案が解決しようとする課題】
【０００４】
このように、従来の標識コーンを用いたディスプレイ物は、標識コーンの頂点部分に係合するものか、標識コーン全体に係合するものに分けられる。標識コーンの頂点部分に係合するものは、重心が上になるので転倒しやすいという問題があり、これを避けるためには、特許文献３に記載の考案のように２つの標識コーンを用いたり、重心を下げるために重い錘を底板にのせたりする必要がある。また、標識コーン全体に係合するものは、安定性はよいが、標識コーンとほぼ同じ大きさを有するために収納性が悪く、これを避けるためには、折りたためる構造を設けるなど構造が複雑になる欠点がある。
【０００５】
一方、従来、標識コーンの側面に部分的に係合するものはなく、側面に部分的に係合させる場合は、比較的安定した位置に係合させることができ、また、部分的な係合をする場合は、比較的収納性の高いものを提供できると考えられる。
本考案は、このような事情に鑑みて、標識コーンの側面に部分的に係合することでディスプレイ物を構成するディスプレイ用具を提供することを課題とする。
【課題を解決するための手段】
【０００６】
上記課題を解決するために、本考案は次のような構成を有する。
請求項１に記載の考案は、円錐状の標識コーンを用いたディスプレイ物を構成するための、ディスプレイ用具であって、前記標識コーンの側周面の少なくとも３点に接触することで、前記標識コーンの側周面に係合固定されるリング状又は破断リング状の側面標識コーン係合部と、前記側面標識コーン係合部に固定される側面ディスプレイ体とからなるディスプレイ用具である。
請求項２に記載の考案は、前記ディスプレイ用具において、前記側面ディスプレイ体は、前記側面標識コーン係合部に対して着脱可能に固定されるものである。
請求項３に記載の考案は、前記ディスプレイ用具において、前記側面標識コーン係合部は、前記側面ディスプレイ体を異なる２以上の姿勢において固定可能に形成されるものである。
【０００７】
請求項４に記載の考案は、前記ディスプレイ用具において、前記標識コーンの円錐状部分の基端部を構成する円周部に係合し、前記基端部に連続する前記標識コーンの底板上に載置されるリング状又は破断リング状の底部標識コーン係合部と、前記底部標識コーン係合部に固定される底部ディスプレイ体とからなる底部ディスプレイ構成部を、さらに有するものである。
請求項５に記載の考案は、請求項４に記載のディスプレイ用具において、前記側面ディスプレイ体と前記底部ディスプレイ体は、掲示板などの板状体を支持するものであって、側面ディスプレイ体は当該板状体の両側部を保持固定するものあり、前記底部ディスプレイ体は当該板状体の下端部を保持固定するものである。
請求項６に記載の考案は、請求項４又は５に記載のディスプレイ用具において、前記側面ディスプレイ体は、腕と手を模した部分を有し、前記底部ディスプレイ体は足又は靴を模した部分を有するものである。
請求項７に記載の考案は、請求項４、５、６に記載のディスプレイ用具において、前記側面標識コーン係合部と前記底部標識コーン係合部とが板体又は棒体により連結されているものである。
【０００８】
請求項８に記載の考案は、前記ディスプレイ用具において、前記標識コーンの頂点部分に被せることで当該頂点部分に係合するキャップ状の頭部標識コーン係合部と、前記頭部標識コーン係合部に固定される頭部ディスプレイ体からなる頭部ディスプレイ構成部を、さらに有するものである。
請求項９に記載の考案は、請求項８に記載のディスプレイ用具において、前記側面ディスプレイ体は、腕と手を模した部分を有し、頭部ディスプレイ体は顔を模した部分を有するものである。
請求項１０に記載の考案は、請求項８又は９に記載のディスプレイ用具において、前記側面標識コーン係合部と前記頭部標識コーン係合部とが板体又は棒体により連結されているものである。
【考案の効果】
【０００９】
請求項１に記載の考案は、リング状又は破断リング状部材で、標識コーンの側周面に係合するので、比較的重心が低くなり安定するとともに、係合部分も小さくできるので、比較的収納性も高めることが可能である。
請求項２に記載の考案は、側面ディスプレイ体を着脱できるようにすることで、さらに収納性を高めることができる。
請求項３に記載の考案は、側面ディスプレイ体の姿勢を変えて保持できるので、ディスプレイ物として必要に応じて視覚的に変化を付与することができる。
【００１０】
請求項４に記載の考案は、底部ディスプレイ構成部と組み合わせることで、標識コーンの側面部分と底面部分とにディスプレイ体を設けた立体的に変化のあるディスプレイ物を構成することができる。
請求項５に記載の考案は、掲示板などを標識コーンの底部と側面の２箇所で支持することで安定して掲示板などを保持固定することができる。
請求項６に記載の考案は、標識コーンの側面に腕と手を設け、底部に足又は靴を設けることで全体として人形を模したディスプレイ体を構成することができる。
請求項７に記載の考案は、底部ディスプレイ構成部を一体に連結することで、標識コーンに対する着脱をより簡単に行うことができる。
【００１１】
請求項８に記載の考案は、頭部ディスプレイ構成部と組み合わせることで、標識コーンの側面部分と頂点部分とにディスプレイ体を設けた立体的に変化のあるディスプレイ物を構成することができる。
請求項９に記載の考案は、頭部ディスプレイ体に顔を模した部分を設けることで、全体としてやはり人形を模したディスプレイ体とすることができる。
請求項１０に記載の考案は、頭部ディスプレイ構成部を一体に連結することで、標識コーンに対する着脱をより簡単に行うことができる。
【図面の簡単な説明】
【００１２】
【図１】実施形態１に係るディスプレイ用具を標識コーンに装着したディスプレイ物の斜視図である。
【図２】実施形態１に係るディスプレイ物の分解斜視図である。
【図３】実施形態２に係るディスプレイ用具を標識コーンに装着したディスプレイ物の斜視図である。
【図４】実施形態３に係るディスプレイ用具を標識コーンに装着したディスプレイ物の斜視図である。
【図５】実施形態３に係るディスプレイ物の分解斜視図である。
【図６】（ａ）は、側面ディスプレイ構成部と底部ディスプレイ構成部とを連結した状態を示す斜視図であり、（ｂ）は側面ディスプレイ構成部と頭部ディスプレイ構成部とを連結した状態を示す斜視図である。
【図７】下垂する部分を有する底部ディスプレイ体を有するディスプレイ物の斜視図である。
【図８】（ａ）（ｂ）とも、側面標識コーン係合部の変形例を示す斜視図である。
【図９】側面ディスプレイ体の姿勢を変えて保持できる広告用具の分解斜視図である。
【図１０】（ａ）（ｂ）は、側面ディスプレイ体の姿勢を変えて保持できる広告用具の側面ディスプレイの異なる姿勢により固定した状態を示す斜視図である。
【図１１】（ａ）は、背面に貫通孔を設けた標識コーン係合部の斜視図であり、（ｂ）は背面に貫通孔を設けた標識コーン係合部を標識コーンに固定した状態を示す拡大断面図である。
【考案を実施するための形態】
【００１３】
以下、本考案の実施の形態について、図面を参照しながら説明する。
（実施形態１）
図１に本実施形態に係るディスプレイ用具Ｘを標識コーンＣに装着したディスプレイ物Ａの斜視図を示し、図２に当該ディスプレイ物Ａの分解斜視図を示す。
ディスプレイ物Ａは標識コーンＣと、側面ディスプレイ構成部１００、底部ディスプレイ構成部２００とから構成される。側面ディスプレイ構成部１００は、帯状の板体を両端部を除く中間部分においてＵ状に湾曲させた側面標識コーン係合リング１１と、側面標識コーン係合リング１１の両端の板状部分にネジにより固定される側面ディスプレイ体２０とから構成される。側面ディスプレイ体２０は、丸棒体を屈曲させて、一長辺部分のみが破断した長方形状に形成された腕を模した腕部２１と、丸棒体の両端部のそれぞれに設けられる手を模して作られた手部２２とから構成される。腕部２１の長辺を構成する部分には前記側面標識コーン係合リング１１の両端部に固定するための穴が設けられ、また側面標識コーン係合リング１１の両端部にも、これに対応する穴が設けられ、これらの穴を介してネジ及びナットにより腕部２１は側面標識コーン係合リング１１に固定される。側面標識コーン係合リング１１と、腕部２１の側面標識コーン係合リング１１の両端部に係合した部分に挟まれる部分とによりリング状の側面標識コーン係合部が形成され、この部分が標識コーンＣの側周面に係合することで側面ディスプレイ構成部１００は標識コーンＣに固定される。
【００１４】
底部ディスプレイ体２００は、丸棒体を屈曲させて前方側が破断したＣ状のリング体に形成された、標識コーンＣの円錐部の基端部を構成する円周部に係合する底部標識コーン係合部３０と、底部ディスプレイ体４０とから構成される。底部ディスプレイ体４０は、底部標識コーン係合部３０の両端部一体に連続して形成される前方側に延びる２本の脚部４１と、脚部４１の先端に設けられる略垂直に立った靴を模した靴部４２とから構成される。この脚部４１と靴部４２により底部ディスプレイ体４０が構成される。
このディスプレイ物Ａは、掲示板Ｂを支持固定するものであり、脚部４１が掲示板Ｂの底縁を支持するとともに靴部４２が前方へのずれを押さえ、腕部２１の両短辺と手部２２とが掲示板Ｂの両側縁を支持することで、掲示板Ｂを保持固定することができる。
【００１５】
（実施形態２）
図３に実施形態２に係るディスプレイ用具Ｙを標識コーンＣに装着したディスプレイ物Ｂの斜視図を示す。ディスプレイ物Ｂは、特許文献５に示すように、従来は２つの標識コーンを用いて水平に保持していた進入禁止などに用いられるバーを一つの標識コーンＣにより保持するものである。ディスプレイ用具Ｙは、側面ディスプレイ構成部３００、底部ディスプレイ構成部４００とから構成される。側面ディスプレイ構成部３００は、帯状の板体を両端部を除く中間部分においてＵ状に湾曲させた側面標識コーン係合リング５１と、側面標識コーン係合リング５１の両端の板状部分にネジにより固定される側面ディスプレイ体６０とから構成される。側面ディスプレイ体６０は、縞模様が表面に描かれた合成樹脂のパイプをからなる腕部６１と、腕部６１の両端部のそれぞれに設けられる手を模して作られた手部６２とから構成される。
頭部ディスプレイ体４００は、標識コーンＣの先端に被さって係合する内部空間を有する円錐状のキャップ部７１の上部に円筒状の固定ブロック７２を設け、固定ブロック７２の側面に円板体に顔を描いた頭部ディスプレイ体８０を設けたものである。
【００１６】
（実施形態３）
図４に実施形態３に係るディスプレイ用具Ｚを標識コーンＣに装着したディスプレイ物Ｄの斜視図を示し、図５にディスプレイ物Ｄの分解斜視図を示す。ディスプレイ用具Ｚは、側面ディスプレイ構成部のみからなるもので、側面標識コーン係合部９０と、側面ディスプレイ体１００とから構成される。側面標識コーン係合部９０は、Ｕ字状に湾曲させた帯状の板体からなるリング部９１の両端部を塞ぐように長方形状の板体からなる前面板９２を固定したものである。前面板９２には、４つの磁石９２ａが設けられている。側面ディスプレイ体９５は矢印をかたどった板体であり、背面側に磁石９２ａに吸着するように防錆処理した鉄薄板９５ａが貼り付けられている。側面ディスプレイ体９５はこの鉄薄板９５ａ部分を、側面標識コーン係合部９０の磁石９２ａに吸着させることで、固定されるものである。このように、磁石９２ａにより側面ディスプレイ体９５を固定することで、側面ディスプレイ体９５を任意の角度で標識コーンＣに固定することができる。
【００１７】
（変形例）
（１）上記実施形態１では、側面ディスプレイ構成部と底部ディスプレイ構成部とは分離し、実施形態２では、側面ディスプレイ構成部と頭部ディスプレイ構成部とは分離しているが、これらを図６（ａ）（ｂ）に示すように、連結体５００ａ、５００ｂにより標識コーンＣに係合させた位置関係を維持するように互いに連結してもよい。このようにすることで、着脱の動作が一回で済むので、作業性を向上させることができる。
（２）上記実施形態１では側面ディスプレイ構成部と底部ディスプレイ構成部により構成したものを示しているが、さらに、これに実施形態２に示すように頭部ディスプレイ構成部を付加して、側面ディスプレイ構成部、底部ディスプレイ構成部、頭部ディスプレイ構成部によりディスプレイ用具を構成してもよい。また、側面ディスプレイ構成部は、２以上設けてもよい。
【００１８】
（３）上記実施形態１では、標識コーンＣを平らな場所に接地することを想定しているため、底部ディスプレイ体２００の脚部４１はほぼ水平に設けられているが、図７に示す底部ディスプレイ体２００Ａように、標識コーンＣを段差のある椅子などの上に設置することを想定した場合には、底部ディスプレイ体２００Ａは、段差を利用して下方側に下垂する部分を有するように構成することができる。なお、図７に示すディスプレイ体も掲示板などのボードを保持するものであり、靴部４２ａの足首部分でボードの下縁を保持することもできるが、小さなボードなどの場合は、脚部の屈曲する直前の水平部分に設けた透明な樹脂リングからなるボード下縁保持体４１Ｘによりボード下縁を保持することもできる。
【００１９】
（４）上記各実施形態では、ディスプレイ体は固定されたものを示したが、モーターなどの駆動力や風力などを用いて回転、揺動するようにしてもよい。また、ディスプレイ体をライトなどにより発光させてもよい。
（５）側面標識コーン係合部の形状は、上記に示したものに限られず、図８（ａ）に示すようにリングが切れた破断リング状のものや、図８（ｂ）に示すように棒材を円形に丸めて、端部一致しないリング状のものでもよく、また、図８（ｃ）に示すように帯び体からなるリングを標識コーンの外周面の傾斜に一致するように円錐台状に形成してもよい。即ち、側面標識コーン係合部の形状は標識コーンの側周面に係合できるリング状又は破断リング状であれば、種々の形状を採用することができる。
【００２０】
（６）実施形態３では、磁石により側面ディスプレイ体を複数の姿勢で保持できるように構成したが、姿勢を変えた状態で保持する方法としては種々の方法が採用できる。例えば、図９に示すように、指差した手を模した側面ディスプレイ体９６の中心にボルト止め用の貫通孔９６ａを設けるとともに、貫通孔９６ａを中心とした円周上に複数の小さなピン用貫通孔９６ｂを設け、側面標識コーン係合部８５側に、貫通孔９６ａに対応するネジ穴８６ａを設けるとともに、ピン用貫通孔９６ａに嵌る位置にピン８５ｂを立設するように設ける。これにより、図１０（ａ）に示すように、ピン８５ａを一つのピン用貫通孔９６ａに嵌めてボルト９７を止めると、上方向を指差した状態で側面ディスプレイ体９６を固定でき、図１０（ｂ）に示すように、ピン８５ａを別のピン用貫通孔９６ａに嵌めてボルト９７を止めると、左方向を指差した状態で側面ディスプレイ体９６を固定することができる。なお、右方向を指差した状態で側面ディスプレイ体９６を固定する場合、このまま回転させると親指の位置が下方にきてしまうが、側面ディスプレイ体９６を裏返して使用することで、親指の位置を上方に向けることができる。
【００２１】
（７）上記各実施形態では、側面ディスプレイ係合体は標識コーンＣに重力で載せた状態で係合しているが、固定状態を安定させるために、図１１（ａ）に示すように側面標識コーン係合部の背面などに貫通孔１１ａなどを設け、図１１（ｂ）の拡大断面図に示すようにタッピングビス１１ｂなどでネジ止めする等、標識コーンＣに穴を開けたり、締め付けたりすることで固定力を強めてもよい。
【符号の説明】
【００２２】
Ａ、Ｂ、Ｄ  ディスプレイ物
Ｘ、Ｙ、Ｚ  ディスプレイ用具
１１、５１  側面標識コーン係合リング
２０、６０、９５、９６  側面ディスプレイ体
２１、６１  腕部
２２、６２  手部
３０  底部標識コーン係合部
４０  底部ディスプレイ体
４１  脚部
４２、４２ａ  靴部
７１  キャップ部
８０  頭部ディスプレイ体
９０  側面標識コーン係合部
５００ａ、５００ｂ  連結体
１００、３００  側面ディスプレイ構成部
２００、２００Ａ  底部ディスプレイ構成部
４００  頭部ディスプレイ構成部
【図１】
0003158152.tif 000003
【図２】
0003158152.tif 000004
【図３】
0003158152.tif 000005
【図４】
0003158152.tif 000006
【図５】
0003158152.tif 000007
【図６】
0003158152.tif 000008
【図７】
0003158152.tif 000009
【図８】
0003158152.tif 000010
【図９】
0003158152.tif 000011
【図１０】
0003158152.tif 000012
【図１１】
0003158152.tif 000013